(57)【要約】【課題】従来のテープカッターは、単にテープをカットする機能しか有しないので、一体に形成した広告表示体付き支柱をモーターで回転させることにより、効果的に宣伝表示やメッセージを伝えられる回転広告表示機能付きテープカッターを提供する。【解決手段】カッター本体２後部の縁基部１７に設けた軸穴１８に、広告表示体２３を有する支柱２０を回転自在に組み合わせたうえで、カッター本体２の下部空間部に位置させた電池１１を電源とするモーター１４の駆動軸１２と、前記支柱２０とをギア１３，１３ａで係合した回転制御手段を用いて支柱２０を回転させる回転広告表示機能付きテープカッター。【選択図】  図１
2004189473.tif 000002
【特許請求の範囲】
【請求項１】
カッター本体前部にカッター刃を備え、後部にテープホルダーを有するカッターテープにおいて、前記するカッター本体の下部空間部に電池を電源とするモーターを位置し、該モーターのスイッチをカッター本体の外部に設けて成る前記モーターの駆動軸と、前記テープホルダーの縁基部の軸穴に回転自在に組み合わせた広告表示体付き支柱とが、回転制御手段とするギアで係合して回転する構成を特徴とする回転広告表示機能付きテープカッター。
【請求項２】
モーターの電源が、カッター本体の一部に設けたソーラー電池である請求項１に記載する回転広告表示機能付きテープカッター。
【請求項３】
モーターの電源が、外部からの交流電気にＡＣアダプターを介在して成る請求項１に記載する回転広告表示機能付きテープカッター。
【請求項４】
支柱の回転制御手段が、電源とモーターとの間に介在させた電気的変速装置による構成である請求項１〜請求項３に記載する回転広告表示機能付きテープカッター。
【請求項５】
モーターの駆動軸と支柱との係合手段が、一直線状に直結した構成である請求項４に記載する回転広告表示機能付きテープカッター。
【発明の詳細な説明】
【０００１】
【発明の属する技術分野】
本発明は、卓上型のテープカッターの一部に、広告表示体を有する支柱を位置し、その支柱をカッター本体に内蔵した電気モーターでゆっくり回転させることにより、効果的に宣伝表示やメッセージを伝えられるテープカッターに関する。
【０００２】
【従来の技術】
従来の卓上型テープカッターは、ある程度の重量のあるカッター本体の前部にカッター刃を備え、後部左右に溝穴付きテープホルダーを形成した前記溝穴に、テープを嵌め込んだ別体のリールをセットして使うタイプが一般的であり、企業や商店などの業務はもとより家庭においても広く使われている。また、その外観形状はメーカーにより異なるが基本構成はいずれも同じである。
【０００３】
また、これらの一般的なテープカッターと異なるタイプとしては、テープのカッター刃部位に小さな紙片を多数枚重ねてセットできるテープカッターを形成し、テープを引き出してカットするたびに前記紙片をカットしたテープ端部に付着させて非着部を作ることにより、貼り付けた後テープを剥す際は、前記した紙片から剥し易いことを目的とするテープカッターの技術は数多く開示されている。
【０００４】
さらに、このテープ端部に紙片を付ける技術においては、広告宣伝機能を有する技術として、特開平１０−２９７５８号よる技術が開示されている。具体的に述べると、カッター刃部位に形成した内部空間にばねと押上用板を設け、その上部に広告を表示した小さな情報告知媒体兼剥離促進用紙片の束を装填しておくことで、テープを引き出してカットするたびに、前記した情報告知媒体兼剥離促進用紙片をテープ端部に接着して付着部を作るテープカッターの技術である。
【０００５】
【発明が解決しようとする課題】
以上のようなテープカッターやその技術が提供されており、いずれもテープを必要な長さ引き出してカットする機能のみがほとんどであり、一部には紙片を付着するものもあるが実際面の使用において次に示すような不便や欠点がある。
まず、一般的に多用されているタイプのテープカッターにおいて、販売業務に関してはレジ回りに置かれているが、レジ回りは多くの人が必ず通る所にも関わらず従来のテープカッターは単にカットする機能しか有しない。
【０００６】
また開示される一部の技術には、カットしたテープ片に剥しやすい不着部を作るために紙片を付けるテープカッターも見られるが、この技術は数多くあるにも関わらず、小さな紙片をセットする面倒や使いにくさなどの理由により、具体的な商品として提供されないなどの欠点がある。
【０００７】
さらに特開平１０−２９７５８号に開示する技術は前記したテープに付着部を作るタイプと同じ構成であり、付着部を作る紙片に広告表示したものであるが、実際の使用に当たっては前記するのと同じように、紙片の束を補給したり取り替えたりする必要など大変面倒である。また紙片は小さいので表示された広告文字も小さくてきわめて読みにくい。加えて表示片は包装用に貼ったお客様にしか分からず、一度に多くの人に明確に知らせることができない欠点がある。
【０００８】
【課題を解決するための手段】
本発明は以上のような従来の技術がもつ不便や欠点を解消したテープカッターを提供するものであり、その構成として、テープカッターを構成するカッター本体の一部に広告表示体を有する支柱を回転自在に位置させるとともに、その支柱を電気を電源とするモーターの駆動力をもって前記広告表示体を有する支柱を回転させることで、周囲の人に印象強く情報を知らせることが可能な回転広告表示機能付きテープカッターを以下のように構成する。
【０００９】
【発明の実施の形態】
本発明による実施例１のテープカッター１は、カッター本体２後部の縁基部１７に設けた軸穴１８に、広告表示体２３を有する支柱２０を回転自在に組み合わせたうえで、カッター本体２の下部空間部に位置した電池１１に接続されるモーター１４の駆動軸１２と、前記支柱２０とをギア１３，１３ａで係合した回転制御手段を用いて支柱２０を回転させる構成とする。
【００１０】
実施例２は前記実施例１と基本は同様であるが、モーター１４と支柱２０の係合は駆動軸１２と支柱２０を直結するとともに、その駆動力となるモーター１４の電源を、縁基部１７に取り付けたソーラー電池２４と空間部内に位置した電気的変速装置２６を回転制御手段とする方式とする。
【００１１】
実施例３においては、前記実施例１と同じように支柱２０とモーター１４とをギア１３，１３ａで係合するが、そのモーター１４の電源は外部から取り入れる交流を直流に変換するＡＣアダプター２８に接続される電気的変速装置２６を回転制御手段とする構成であるが、以下、さらに具体的な実施例を次に詳述する。
【００１２】
【実施例】
実施例１
実施例１のテープカッターを図１に示す一部欠損した斜視図と２に示すＡ−Ａ線断面図を参照して説明する。
本発明におけるテープカッター１は、カッター本体２の前部にカッター刃３を備え、後部に溝穴４付きテープホルダー５を位置した前記溝穴４に、テープ６を組み合わせたリール７をセットする卓上型のテープカッター１であって、まず、カッター本体２の下部は通常より少し高くした空間部を形成し、その空間部の前記カッター刃３寄り側部に設けたケース８の開口部に、内側に導電板９を設けた蓋１０を開閉自在に取り付けて電池１１を納める。さらに後部のテープホルダー５側下部には、駆動軸１２にギア１３を取り付けたモーター１４を位置し、そのモーター１４と前記電池１１を接続するリード線１５に介在したスイッチ１６を前記テープホルダー５の前部に設ける。
【００１３】
次に、前記したテープホルダー５後部の縁基部１７には、前記モーター１４のギア１３相当部位に軸穴１８を設け、その軸穴１８に上部に保持具１９を設け、下部の軸穴８上下に係止具２１を設けた支柱２０を回転自在に納めた支柱２０下端部に、前記モーター１４のギア１３と係合するフェイス型のギア１３ａを回転制御手段として取り付けた前記支柱２０上部の保持具１９に、広告２２を施した広告表示体２３を組み合わせて成る回転広告表示機能付きテープカッターを構成する。
【００１４】
実施例１のテープカッター１は、テープ６は通常のカッターと同様に引き出してカットしながら使えることはもとより、それに加えてスイッチ１６を人れるとモーター１４が作動することで、ギア１３，１３ａで係合している広告表示体２３付き支柱２０を回転させられるため、多くの人が通るレジ回りなどでは効果的な広告媒体となる。また電源は電池１１による方式であるのでコンセントなどない屋外でも使用できる。加えてモーター１４と支柱２０の係合手段は大小の二つのギア１３，１３ａの組み合わせを図示しているが、その組み合わせ個数は任意で構わない。
【００１５】
実際例２
実際例２のテープカッターを図３に示す斜視図と図４に示すＢ−Ｂ線断面図を参照して説明する。
実施例２は電源にソーラー電池２４を採用したタイプである。本実施例におけるテープカッター１も前記実施例１と同様に、前部にカッター刃３を後部にテープ６を組み合わせたリール７がセットされ、かつ下部に空間部を有するカッター本体２の後部テープホルダー５の縁基部１７に設けた軸穴１８に、広告表示体２３（図示せず）及び係止具２１付き支柱２０を回転自在に組み合わせるものとするが、その支柱２０の駆動源となるモーター１４は、前記支柱２０とモーター１４の駆動軸１２とを直結して縦向きに位置させる。
【００１６】
さらに、そのモーター１４の電源となるソーラー電池２４は、前記テープホルダー５の縁基部１７にヒンジ具２５をもって折りたたみ自在に取り付け、そのソーラー電池２４とスイッチ１６とモーター１４を接続するリード線１５に介在させた電気的変速装置２６を回転制御手段として、前記モーター１４と同じ空間部に位置させた回転広告表示機能付きテープカッターを構成する。
【００１７】
実施例２に示すタイプも前記実施例１と同様に支柱２０を回転させるが、電源にソーラー電池２４を採用しているので太陽光のみならず室内の明かりでも作動させられる。またソーラー電池２４はヒンジ部２５により下方に折りたためてコンパクトであることと、モーター１４と支柱２０との係合は直結であるが、電気的変速装置２６を介在するので任意の速度でゆっくり回転させることができる。
【００１８】
実施例３
実際例３のテープカッターを図５に示す断面図を参照して説明する。
本実施例のテープカッター１は交流電源を用いるものとするが、、その構成は前記実施例１と同じようにカッター刃３とテープ６を組み合わせたリール７を備えたカッター本体２における、後部テープホルダー５の縁基部１７の軸穴１８に、係止具２１付き支柱２０を組み合わせた下部にギア１３ａを取り付け、その支柱２０のギア１３ａにモーター１４のギア１３を係合位置させる。
【００１９】
以上のようにモーター１４を位置させた空間部には、さらに外部から取り入れる交流電気のＡＣコード２７が接続された直流変換用のＡＣアダプター２８に接続した、電気的変速装置２６を回転制御手段とする、前記モーター１４とＡＣアダプター２８と電気的変速装置２６を接続するリード線１５にスイッチ１６を介在した回転広告表示機能付きテープカッターを構成する。
【００２０】
実施例３のテープカッター１は、電源に交流を採用しているので電池が切れて動かせないなどの心配はないし、またソーラーのように一定の明るさがなくても連続して動かせる。さらに本実施例はギア１３，１３ａと電気的変速装置２６を組み合わせているので、支柱２０の回転速度をさらにきめ細かく設定できる。
【００２１】
この発明によるテープカッター１は以上のような構成であるが、実施例１〜３における技術は相互に関わりあってもよいものである。また図示する支柱２０は単なる棒体であるが、伸縮やネジ取り外し方式であっても差し支えないものであり、いずれも特に限定するものではない。
【００２２】
【発明の効果】
本発明によるテープカッターは従来と外観形状は変わらないが、テープホルダーの後部には、一定の高さの支柱に広告表示体を設けた支柱を回転自在に取り付けたカッター本体内に、スイッチを入れると前記広告表示体を回転させるモーターを位置しているので、テープを使用するしないに関わらずゆっくり広告表示体を回転させることができる構成であるため、単にテープをカットする機能のみならず広告宣伝やメッセージ表示機能も有するテープカッターである。
【００２３】
したがって販売業務におけるレジ回りなどにあっては数多くのお客様が立ち止まりながら必ず通る場所でもあるので、次の安売り日やお買い得商品案内など自社の宣伝はもとより、他社の宣伝媒体として貸し看板的な使い方などもできるうえ、さらに一歩進めて企業の宣伝表示したテープカッターを無料で貸与してレジ回りに置いて頂くことも可能であり、レジ回りに置く備品として最適なテープカッターである。他方、家庭などの場合はペットや子供の写真、きれいな草花の写真など入れると楽しく使える。
【００２４】
加えて、広告表示体は適度な大きさであるので広告やメッセージ表示も分かり易く、かつ回転するのでアッピール度は高められることはもとより、支柱の回転駆動源はモーターであるので常時回転させることができうえ、電気的変速装置及びギアによる回転制御手段を用いるため、広告表示付き支柱の回転を任意のスピードに調節できることに加え、支柱に取り付ける広告表示体も取り替え可能であるためスピィーデーに新しい広告表示に対応できる、従来には見られない機能的かつ効果的な回転広告表示機能を有するテープカッターを提供する。
【図面の簡単な説明】
【図１】実施例１のテープカッターを示す一部欠損した斜視図である。
【図２】実施例１のＡ−Ａ線断面図である。
【図３】実施例２のテープカッターを示す斜視図である。
【図４】実施例２のテープカッターを示すＢ−Ｂ線断面図である。
【図５】実施例３のテープカッターを示す断面図である。
【符号の説明】
１・・テープカッター
２・・カッター本体
３・・カッター刃
４・・溝穴
５・・テープホルダー
６・・テープ
７・・リール
８・・ケース
９・・導電板
１０・・蓋
１１・・電池
１２・・駆動軸
１３・・ギア
１３ａ・・ギア
１４・・モーター
１５・・リード線
１６・・スイッチ
１７・・縁基部
１８・・軸穴
１９・・保持具
２０・・支柱
２１・・係止具
２２・・広告
２３・・広告表示体
２４・・ソーラー電池
２５・・ヒンジ具
２６・・電気的変速装置
２７・・ＡＣコード
２８・・ＡＣアダプター
【図１】
2004189473.tif 000003
【図２】
2004189473.tif 000004
【図３】
2004189473.tif 000005
【図４】
2004189473.tif 000006
【図５】
2004189473.tif 000007